(57)【要約】  本技術は、より簡単な構成で、聴取位置での各スピーカからの聴取タイミングを一致させることができるようにするオーディオ信号再生装置及び再生方法、収音装置及び収音方法、並びにプログラムに関する。聴取位置に対して設置されたスピーカに供給するオーディオ信号を再生する再生部と、収音信号から得られる測定音の他のスピーカとの間隔に応じて、対象のスピーカに供給するオーディオ信号の遅延量を調整する調整部とを有し、収音信号は、聴取位置に設けられた収音装置で収音された測定音であって、測定信号に応じた測定音を含む信号であり、測定信号は、聴取位置に対して設置された複数のスピーカに対し、所定の時間間隔で、測定音を出力させる信号であるオーディオ信号再生装置が提供される。本技術は、例えば、AVアンプ装置やワイヤレススピーカ等のオーディオ信号再生装置に適用することができる。
2018123612.tif 000002
【特許請求の範囲】
【請求項１】
聴取位置に対して設置されたスピーカに供給するオーディオ信号を再生する再生部と、
収音信号から得られる測定音の他のスピーカとの間隔に応じて、対象のスピーカに供給する前記オーディオ信号の遅延量を調整する調整部と
を備え、
前記収音信号は、前記聴取位置に設けられた収音装置で収音された測定音であって、測定信号に応じた前記測定音を含む信号であり、
前記測定信号は、前記聴取位置に対して設置された複数のスピーカに対し、所定の時間間隔で、前記測定音を出力させる信号である
オーディオ信号再生装置。
【請求項２】
前記調整部は、前記聴取位置に対する、各スピーカの位置の距離差に応じて、前記オーディオ信号の遅延量を調整する
請求項１に記載のオーディオ信号再生装置。
【請求項３】
前記調整部は、前記複数のスピーカのうち、前記聴取位置に最も遠い位置に設置されたスピーカを基準に、前記オーディオ信号の遅延量を調整する
請求項２に記載のオーディオ信号再生装置。
【請求項４】
前記複数のスピーカと接続され、
前記複数のスピーカに対し、測定時に、前記測定信号を供給し、再生時に、前記遅延量に応じた前記オーディオ信号を供給する
請求項１に記載のオーディオ信号再生装置。
【請求項５】
測定時において、前記収音装置での収音が開始された後に、前記測定信号を、前記複数のスピーカに供給する
請求項４に記載のオーディオ信号再生装置。
【請求項６】
前記収音装置は、マイクロフォンを有する端末装置であり、
前記端末装置は、前記マイクロフォンにより収音を開始した後に、前記オーディオ信号再生装置に対し、前記測定信号を、前記複数のスピーカのそれぞれに供給して、各スピーカから前記測定音の出力が開始されるように要求する
請求項１に記載のオーディオ信号再生装置。
【請求項７】
前記端末装置は、
前記複数のスピーカから出力される前記測定音を収音して得られる前記収音信号に基づいて、前記オーディオ信号の遅延量を算出し、
算出した前記オーディオ信号の遅延量を、前記オーディオ信号再生装置に送信する
請求項６に記載のオーディオ信号再生装置。
【請求項８】
前記オーディオ信号再生装置は、前記聴取位置に対して設置されるスピーカであって、スピーカユニットを有するワイヤレススピーカであり、
前記スピーカユニットに対し、測定時に、前記測定信号を供給し、再生時に、前記遅延量に応じた前記オーディオ信号を供給する
請求項１に記載のオーディオ信号再生装置。
【請求項９】
前記収音装置は、マイクロフォンを有する端末装置であり、
前記端末装置は、
前記マイクロフォンにより収音を開始した後に、前記測定信号を、複数のワイヤレススピーカのそれぞれに送信して、各ワイヤレススピーカから前記測定音の出力が開始されるように要求し、
前記複数のワイヤレススピーカから出力される前記測定音を収音して得られる前記収音信号に基づいて、前記オーディオ信号の遅延量を算出し、
算出した前記オーディオ信号の遅延量を、前記複数のワイヤレススピーカのそれぞれに送信して、各ワイヤレススピーカで、当該遅延量に応じた前記オーディオ信号が再生されるように要求する
請求項８に記載のオーディオ信号再生装置。
【請求項１０】
前記時間間隔は、前記聴取位置から各スピーカの位置までの距離差によって生じる、時間のずれの最大時間を上回る時間間隔とされる
請求項２に記載のオーディオ信号再生装置。
【請求項１１】
前記時間間隔は、前記聴取位置から各スピーカの位置までの距離差の予測値を上回る時間間隔とされる
請求項２に記載のオーディオ信号再生装置。
【請求項１２】
前記時間間隔は、前記複数のスピーカごとに、同一の時間間隔となるか、あるいは前記聴取位置から各スピーカの位置までの距離差の予測値に応じた異なる時間間隔となる
請求項２に記載のオーディオ信号再生装置。
【請求項１３】
オーディオ信号再生装置の再生方法において、
前記オーディオ信号再生装置が、
聴取位置に対して設置されたスピーカに供給するオーディオ信号を再生する再生部と、
収音信号から得られる測定音の他のスピーカとの間隔に応じて、対象のスピーカに供給する前記オーディオ信号の遅延量を調整する調整部と
ステップを含み、
前記収音信号は、前記聴取位置に設けられた収音装置で収音された測定音であって、測定信号に応じた前記測定音を含む信号であり、
前記測定信号は、前記聴取位置に対して設置された複数のスピーカに対し、所定の時間間隔で、前記測定音を出力させる信号である
再生方法。
【請求項１４】
コンピュータを、
聴取位置に対して設置されたスピーカに供給するオーディオ信号を再生する再生部と、
収音信号から得られる測定音の他のスピーカとの間隔に応じて、対象のスピーカに供給する前記オーディオ信号の遅延量を調整する調整部と
を備え、
前記収音信号は、前記聴取位置に設けられた収音装置で収音された測定音であって、測定信号に応じた前記測定音を含む信号であり、
前記測定信号は、前記聴取位置に対して設置された複数のスピーカに対し、所定の時間間隔で、前記測定音を出力させる信号である
オーディオ信号再生装置として機能させるためのプログラム。
【請求項１５】
聴取位置に対して設置された複数のスピーカから出力される、測定信号に応じた測定音を収音して、収音信号を得る収音部を備え、
前記測定信号は、前記複数のスピーカに対し、所定の時間間隔で、前記測定音を出力させる信号であり、
前記収音信号は、前記聴取位置で収音された前記測定音を含む信号である
収音装置。
【請求項１６】
前記収音部により収音を開始した後に、オーディオ信号の再生を行うオーディオ信号再生装置に対し、前記測定信号を、前記複数のスピーカのそれぞれに供給して、各スピーカから前記測定音の出力が開始されるように要求する
請求項１５に記載の収音装置。
【請求項１７】
前記複数のスピーカから出力される前記測定音を収音して得られる前記収音信号に基づいて、前記オーディオ信号の遅延量を算出する算出部と、
算出した前記オーディオ信号の遅延量を、前記オーディオ信号再生装置に送信する送信部と
をさらに備える請求項１６に記載の収音装置。
【請求項１８】
前記収音部は、マイクロフォンであり、
前記収音装置は、前記マイクロフォンを有する端末装置である
請求項１５に記載の収音装置。
【請求項１９】
収音装置の収音方法において、
前記収音装置が、
聴取位置に対して設置された複数のスピーカから出力される、測定信号に応じた測定音を収音して、収音信号を得るステップを含み、
前記測定信号は、前記複数のスピーカに対し、所定の時間間隔で、前記測定音を出力させる信号であり、
前記収音信号は、前記聴取位置で収音された前記測定音を含む信号である
収音方法。
【請求項２０】
コンピュータを、
聴取位置に対して設置された複数のスピーカから出力される、測定信号に応じた測定音を収音して、収音信号を得る収音部を備え、
前記測定信号は、前記複数のスピーカに対し、所定の時間間隔で、前記測定音を出力させる信号であり、
前記収音信号は、前記聴取位置で収音された前記測定音を含む信号である
収音装置として機能させるためのプログラム。
【発明の詳細な説明】
【技術分野】
【０００１】
本技術は、オーディオ信号再生装置及び再生方法、収音装置及び収音方法、並びにプログラムに関し、特に、より簡単な構成で、聴取位置での各スピーカからの聴取タイミングを一致させることができるようにしたオーディオ信号再生装置及び再生方法、収音装置及び収音方法、並びにプログラムに関する。
【背景技術】
【０００２】
マルチチャンネルのオーディオ信号によるサラウンド効果を正確に再現するためには、聴取位置から各スピーカへの距離は、全て等距離であることが望まれる。【０００３】
しかしながら、一般の家庭において、複数のスピーカを配置する場合には、家屋の形状や家具類の配置による物理的な制限が生じ、必ずしも聴取位置から等距離の位置に配置できるとは限らない。【０００４】
ここで、マルチチャンネルのオーディオ再生環境において、テスト用の信号を、複数のスピーカから再生して、これらのテスト音声を、聴取位置に設置されたマイクロフォンにより収音し、その収音信号から検出されるピーク間のずれに基づいたタイミング補正を行うことで、各スピーカからの聴取タイミングを一致させる技術が開示されている（例えば、特許文献１参照）。【０００５】
また、マルチチャンネルのオーディオ再生環境において、各スピーカからテスト用の信号を再生して、マイクロフォンにより収音し、その収音信号に基づいて、各スピーカの位置関係を算出する技術が開示されている（例えば、特許文献２参照）。
【先行技術文献】
【特許文献】
【０００６】
【特許文献１】特開２００４−１６６１０６号公報
【特許文献２】特開２００６−１０１２４８号公報
【発明の概要】
【発明が解決しようとする課題】
【０００７】
ところで、上述した文献に開示されている技術では、各スピーカから再生された信号に応じた音を、聴取位置に置かれたマイクロフォンで収音して、距離測定等の解析処理を行っているが、スピーカ側でのテスト用の信号の再生動作と、マイクロフォン側での収音信号の収音動作の両動作が厳密に同期している必要がある。【０００８】
ここで、スピーカ側の再生動作と、マイクロフォン側の収音動作とが、それぞれ独立した非同期動作となる場合には、スピーカ側とマイクロフォン側の両方に同期再生・収音機構を組み込む必要がある。【０００９】
そのため、マルチチャンネルのオーディオ再生環境において、より簡単な構成で、聴取位置での各スピーカからの聴取タイミングを一致させるための技術が求められていた。【００１０】
本技術はこのような状況に鑑みてなされたものであり、より簡単な構成で、聴取位置での各スピーカからの聴取タイミングを一致させることができるようにするものである。
【課題を解決するための手段】
【００１１】
本技術の第１の側面のオーディオ信号再生装置は、聴取位置に対して設置されたスピーカに供給するオーディオ信号を再生する再生部と、収音信号から得られる測定音の他のスピーカとの間隔に応じて、対象のスピーカに供給する前記オーディオ信号の遅延量を調整する調整部とを備え、前記収音信号は、前記聴取位置に設けられた収音装置で収音された測定音であって、測定信号に応じた前記測定音を含む信号であり、前記測定信号は、前記聴取位置に対して設置された複数のスピーカに対し、所定の時間間隔で、前記測定音を出力させる信号であるオーディオ信号再生装置である。【００１２】
本技術の第１の側面の再生方法及びプログラムは、上述した本技術の第１の側面のオーディオ信号再生装置に対応する再生方法及びプログラムである。【００１３】
本技術の第１の側面のオーディオ信号再生装置、再生方法、及びプログラムにおいては、聴取位置に対して設置されたスピーカに供給するオーディオ信号が再生され、収音信号から得られる測定音の他のスピーカとの間隔に応じて、対象のスピーカに供給する前記オーディオ信号の遅延量が調整される。また、前記収音信号は、前記聴取位置に設けられた収音装置で収音された測定音であって、測定信号に応じた前記測定音を含む信号とされ、前記測定信号は、前記聴取位置に対して設置された複数のスピーカに対し、所定の時間間隔で、前記測定音を出力させる信号とされる。【００１４】
本技術の第２の側面の収音装置は、聴取位置に対して設置された複数のスピーカから出力される、測定信号に応じた測定音を収音して、収音信号を得る収音部を備え、前記測定信号は、前記複数のスピーカに対し、所定の時間間隔で、前記測定音を出力させる信号であり、前記収音信号は、前記聴取位置で収音された前記測定音を含む信号である収音装置である。【００１５】
本技術の第２の側面の収音方法及びプログラムは、上述した本技術の第２の側面の収音装置に対応する収音方法及びプログラムである。【００１６】
本技術の第２の側面の収音装置、収音方法、及びプログラムにおいては、聴取位置に対して設置された複数のスピーカから出力される、測定信号に応じた測定音が収音され、収音信号が得られる。また、前記測定信号は、前記複数のスピーカに対し、所定の時間間隔で、前記測定音を出力させる信号とされ、前記収音信号は、前記聴取位置で収音された前記測定音を含む信号とされる。【００１７】
なお、本技術の第１の側面のオーディオ信号再生装置、又は本技術の第２の側面の収音装置は、独立した装置であってもよいし、１つの装置を構成している内部ブロックであってもよい。
【発明の効果】
【００１８】
本技術の第１の側面及び第２の側面によれば、より簡単な構成で、聴取位置での各スピーカからの聴取タイミングを一致させることができる。【００１９】
なお、ここに記載された効果は必ずしも限定されるものではなく、本開示中に記載されたいずれかの効果であってもよい。
【図面の簡単な説明】
【００２０】
【図１】複数のスピーカが理想的に配置された場合のマルチチャンネルオーディオシステムの構成例を示す図である。
【図２】携帯端末装置の構成例を示すブロック図である。
【図３】測定時の再生側の構成例を示すブロック図である。
【図４】測定処理の流れを説明するフローチャートである。
【図５】オーディオ信号再生装置から各スピーカに供給される信号の信号波形を時系列で表した図である。
【図６】スピーカが理想的な配置の場合の携帯端末装置により収音される収音信号の信号波形を時系列に表した図である。
【図７】測定信号再生処理の流れを説明するフローチャートである。
【図８】各スピーカ間に距離差がある配置の場合のマルチチャンネルオーディオシステムの構成例を示す図である。
【図９】各スピーカ間に距離差がある配置の場合の携帯端末装置により収音される収音信号の信号波形を時系列に表した図である。
【図１０】再生時の再生側の構成例を示すブロック図である。
【図１１】オーディオ信号再生処理の流れを説明するフローチャートである。
【図１２】ワイヤレススピーカの構成例を示すブロック図である。
【図１３】各ワイヤレススピーカ間に距離差がある配置の場合のワイヤレススピーカシステムの構成例を示す図である。
【図１４】コンピュータの構成例を示す図である。
【発明を実施するための形態】
【００２１】
以下、図面を参照しながら本技術の実施の形態について説明する。なお、説明は以下の順序で行うものとする。
【００２２】
１．第１の実施の形態：マルチチャンネルオーディオシステム
（１）測定時の各機器の構成と動作
（Ａ）理想的な配置の場合
（Ｂ）各スピーカ間に距離差がある配置の場合
（２）再生時の各機器の構成と動作
２．第２の実施の形態：ワイヤレススピーカシステム
３．変形例
４．コンピュータの構成
【００２３】
＜１．第１の実施の形態＞
【００２４】
第１の実施の形態においては、本技術を適用したマルチチャンネルオーディオシステムについて説明する。このマルチチャンネルオーディオシステムでは、聴取位置から各スピーカまでの距離が一定でない場合に、各距離差に応じて、オーディオ信号の再生タイミングの調整を行うことで、聴取位置での各スピーカからの聴取タイミングを一定にさせることができるようにする。
【００２５】
ここでは、オーディオ信号を再生する前の測定時に、聴取位置で、当該聴取位置に対して設置された複数のスピーカから出力される測定音の収音を行っておくことで、オーディオ信号の再生時には、その収音結果に応じた再生タイミングの調整が行われることになる。
【００２６】
そこで、以下の説明では、まず、測定時の各機器の構成と動作について説明してから、その後に、再生時の各機器の構成と動作について説明する。また、測定時の説明では、聴取位置から各スピーカまでの距離が一定となる理想的な配置の場合と、各スピーカ間に距離差がある配置の場合とを比べながら説明する。
【００２７】
（１）測定時の各機器の構成と動作
【００２８】
（Ａ）理想的な配置の場合
【００２９】
（マルチチャンネルオーディオシステムの構成）
図１は、複数のスピーカが理想的に配置された場合のマルチチャンネルオーディオシステムの構成例を示す図である。
【００３０】
図１において、マルチチャンネルオーディオシステム１では、聴取位置（聴取点）に置かれた携帯端末装置１０に対し、センタスピーカ２０−Ｃ、フロントＬスピーカ２０−Ｌ、フロントＲスピーカ２０−Ｒ、サラウンドＬスピーカ２０−ＳＬ、及びサラウンドＲスピーカ２０−ＳＲが、理想的な位置に配置されている。
【００３１】
すなわち、図１のマルチチャンネルオーディオシステム１では、各スピーカ２０が、理想的な位置に配置されているため、図中の聴取位置を中心とした点線の円との関係から明らかなように、携帯端末装置１０が置かれた聴取位置から、各スピーカ２０の配置位置までの距離は一定となる。なお、以下の説明では、マルチチャンネルオーディオシステム１を構成するスピーカ（Ｃ，Ｌ，Ｒ，ＳＬ，ＳＲ）を、特に区別する必要がない場合、単に、スピーカ２０と称する。
【００３２】
携帯端末装置１０は、例えば、スマートフォンや携帯電話機、ワイヤレスマイクロフォン、タブレット型コンピュータ、携帯音楽プレーヤ、ウェアラブルコンピュータ、ゲーム機等として構成される。なお、携帯端末装置１０は、収音器としてのマイクロフォンを内蔵している機器（あるいは外部のマイクロフォンが取り付けられた機器）であればよく、携帯型の機器に限定されるものではない。
【００３３】
オーディオ信号を再生する前の測定時において、携帯端末装置１０は、聴取位置で、各スピーカ２０（Ｃ，Ｌ，Ｒ，ＳＬ，ＳＲ）から出力される測定音の収音を行うことで、各スピーカ２０の距離差を求める。ただし、図１に示したように、各スピーカ２０が理想的な位置に配置されている場合には、聴取位置から、各スピーカ２０までの距離は一定となるので、各スピーカ２０の距離差はなく、距離差に応じた再生タイミングの調整を行う必要はない。
【００３４】
なお、図１においては、各スピーカ２０に対してオーディオ信号や測定信号（テスト用の信号）を供給するためのオーディオ信号再生装置や外部信号源の図示を省略しているが、マルチチャンネルオーディオシステム１には、後述するオーディオ信号再生装置３０（図３）及び外部信号源４０（図３）が含まれる。
【００３５】
（携帯端末装置の構成）
図２は、図１の携帯端末装置１０の構成例を示すブロック図である。
【００３６】
図２において、携帯端末装置１０は、処理部１００、メモリ１０１、タッチパネル１０２、マイクロフォン１０３、スピーカ１０４、受信部１０５、送信部１０６、及び電源部１０７から構成される。
【００３７】
処理部１００は、例えば、CPU(Central Processing Unit)やマイクロプロセッサ等から構成される。処理部１００は、各種の演算処理や、各部の動作制御など、携帯端末装置１０における中心的な処理装置として動作する。
【００３８】
メモリ１０１は、例えば、不揮発性メモリ（例えば、NVRAM(Non-Volatile RAM)等）などの半導体メモリとして構成される。メモリ１０１は、処理部１００からの制御に従い、各種のデータを記録する。
【００３９】
タッチパネル１０２は、タッチセンサ１２１と表示部１２２から構成される。なお、タッチセンサ１２１は、表示部１２２の画面上に重畳されている。
【００４０】
タッチセンサ１２１は、ユーザによりタッチパネル１０２に対して行われる入力操作（例えば、ユーザの指をパネル表面に接触させる操作など）を、その操作が行われた場所のタッチパネル１０２上での位置とともに検出し、その検出信号を処理部１００に供給する。
【００４１】
表示部１２２は、例えば、液晶や有機EL等のディスプレイから構成される。表示部１２２は、処理部１００からの制御に従い、画像やテキスト等の各種の情報を表示する。
【００４２】
マイクロフォン１０３は、外部からの音を、電気信号に変換する機器（収音器）である。マイクロフォン１０３は、変換で得られる信号を、処理部１００に供給する。
【００４３】
スピーカ１０４は、処理部１００からの制御に従い、オーディオ信号等の電気信号に応じた音を出力する。
【００４４】
受信部１０５及び送信部１０６は、例えば、通信I/F回路として構成される。受信部１０５は、アンテナ１３１を介して外部の機器との間で通信を行うことで、各種のデータを受信し、処理部１００に供給する。送信部１０６は、アンテナ１３１を介して外部の機器との間で通信を行うことで、処理部１００からの各種のデータを送信する。なお、アンテナ１３１は、携帯端末装置１０に内蔵することができる。
【００４５】
なお、この通信I/F回路としては、例えば、LTE(Long Term Evolution)やLTE-A(LTE-Advanced)、5G(5th Generation)等のセルラー通信プロトコル、無線LAN（Wi-Fi（登録商標）ともいう）等の無線通信プロトコルを実装することができる。また、この通信I/F回路としては、例えば、Bluetooth（登録商標）やNFC(Near Field Communication)等の近距離無線通信プロトコルを実装してもよい。
【００４６】
電源部１０７は、蓄電池又は外部電源から得られる電源電力を、処理部１００を含む携帯端末装置１０の各部に供給する。
【００４７】
ここで、処理部１００は、測定時に、各スピーカ２０（Ｃ，Ｌ，Ｒ，ＳＬ，ＳＲ）からの測定音を収音して、各スピーカ２０の遅延量を算出するために、距離差算出部１１１及び遅延量算出部１１２を有している。
【００４８】
距離差算出部１１１は、各スピーカ２０からの測定音を収音することで得られる収音結果に基づいて、各スピーカ２０の距離差を算出する。距離差算出部１１１は、算出した各スピーカ２０の距離差を、遅延量算出部１１２に供給する。
【００４９】
遅延量算出部１１２は、距離差算出部１１１からの各スピーカ２０の距離差に基づいて、各スピーカ２０の遅延量を算出する。遅延量算出部１１２は、算出した各スピーカ２０の遅延量を、遅延データとして、送信部１０６に供給する。
【００５０】
送信部１０６は、遅延量算出部１１２からの遅延データを、オーディオ信号再生装置３０（図３）に送信する。なお、距離差算出部１１１及び遅延量算出部１１２による処理の詳細は、図４等を参照して後述する。
【００５１】
携帯端末装置１０は、以上のように構成される。
【００５２】
（測定時の再生側の機器の構成）
図３は、図１のスピーカ２０（Ｃ，Ｌ，Ｒ，ＳＬ，ＳＲ）を含む再生側の機器の構成例を示すブロック図である。
【００５３】
図３において、再生側の機器としては、図１に示した複数のスピーカ２０のほかに、オーディオ信号再生装置３０及び外部信号源４０が含まれる。
【００５４】
オーディオ信号再生装置３０は、例えば、AVアンプ装置として構成される。オーディオ信号再生装置３０は、コントローラ３００、メモリ３０１、受信部３０２、復号部３０３、及び信号増幅器３０４−１乃至３０４−５から構成される。
【００５５】
コントローラ３００は、マイクロコントローラであって、各種の演算処理や、各部の動作制御など、オーディオ信号再生装置３０における中心的な処理装置として動作する。なお、コントローラ３００は、CPUやマイクロプロセッサ等から構成されるようにしてもよい。
【００５６】
メモリ３０１は、例えば、不揮発性メモリなどの半導体メモリとして構成される。メモリ３０１は、コントローラ３００からの制御に従い、各種のデータを記録する。
【００５７】
受信部３０２は、例えば、通信I/F回路として構成される。受信部３０２は、アンテナ３３１を介して外部の機器との間で通信を行うことで、各種のデータを受信し、コントローラ３００に供給する。
【００５８】
なお、この通信I/F回路としては、例えば、無線LAN等の無線通信プロトコル、Bluetooth（登録商標）等の近距離無線通信プロトコル、又はLTE等のセルラー通信プロトコルなどの各種のプロトコルを実装することができる。
【００５９】
復号部３０３は、そこに入力される信号を、所定の復号方式に応じて復号し、その結果得られるオーディオ信号を出力する。
【００６０】
信号増幅器３０４−１乃至３０４−５は、そこに入力されるオーディオ信号を増幅し、対応する各スピーカ２０に供給する。
【００６１】
信号増幅器３０４−１は、フロントＬスピーカ２０−Ｌに接続され、信号増幅器３０４−２は、フロントＲスピーカ２０−Ｒに接続され、信号増幅器３０４−３は、センタスピーカ２０−Ｃに接続される。また、信号増幅器３０４−４は、サラウンドＬスピーカ２０−ＳＬに接続され、信号増幅器３０４−５は、サラウンドＲスピーカ２０−ＳＲに接続される。
【００６２】
ここで、測定時において、オーディオ信号再生装置３０では、コントローラ３００によって、メモリ３０１に記録された測定信号が読み出され、信号増幅器３０４−１乃至３０４−５にそれぞれ供給される。
【００６３】
これにより、フロントＬスピーカ２０−Ｌ、フロントＲスピーカ２０−Ｒ、センタスピーカ２０−Ｃ、サラウンドＬスピーカ２０−ＳＬ、及びサラウンドＲスピーカ２０−ＳＲに対し、各信号増幅器３０４から測定信号が供給されるので、各スピーカ２０からは、測定信号に応じた測定音が出力される。
【００６４】
そして、聴取位置に置かれた携帯端末装置１０によって、各スピーカ２０から出力される測定音の収音が行われ、その収音結果に応じた遅延量が求められる。この遅延量に応じた遅延データは、携帯端末装置１０から、オーディオ信号再生装置３０に送信される。
【００６５】
オーディオ信号再生装置３０においては、受信部３０２によって、携帯端末装置１０からの遅延データが受信され、コントローラ３００によって、この遅延データから得られる遅延量が、メモリ３０１に記録される。
【００６６】
測定時の再生側の機器は、以上のように構成される。
【００６７】
次に、図４乃至図７を参照して、測定時に各機器で実行される処理の流れを説明する。
【００６８】
（測定処理の流れ）
まず、図４のフローチャートを参照して、携帯端末装置１０により実行される測定処理の流れを説明する。ただし、図４の測定処理を実行する際に、携帯端末装置１０は、聴取位置に置かれ、各スピーカ２０は、図１に示した理想的な配置になっているものとする。
【００６９】
ステップＳ１１において、マイクロフォン１０３は、収音を開始する。
【００７０】
ここで、携帯端末装置１０では、測定音の再生開始前に、マイクロフォン１０３により収音を開始している。その理由であるが、携帯端末装置１０の収音動作と、オーディオ信号再生装置３０の再生動作とが非同期であるので、再生される測定信号の先頭部分を確実に収音するため、携帯端末装置１０では、測定音の再生開始前に、収音を開始するようにしている。
【００７１】
その後、携帯端末装置１０は、オーディオ信号再生装置３０に対し、測定信号の再生開始を指示する。これにより、オーディオ信号再生装置３０では、測定信号の再生が開始され、各スピーカ２０からは、測定信号に応じた測定音が出力（再生）される。
【００７２】
ステップＳ１２において、処理部１００は、全てのスピーカ２０から測定音を収音したかどうかを判定する。
【００７３】
ここでは、オーディオ信号再生装置３０によって、測定信号が再生されることで、当該測定信号に応じた測定音が、フロントＬスピーカ２０−Ｌ、フロントＲスピーカ２０−Ｒ、センタスピーカ２０−Ｃ、サラウンドＬスピーカ２０−ＳＬ、サラウンドＲスピーカ２０−ＳＲの順に、所定の時間間隔で、出力（再生）される。
【００７４】
そのため、この判定処理では、フロントＬスピーカ２０−Ｌ、フロントＲスピーカ２０−Ｒ、センタスピーカ２０−Ｃ、サラウンドＬスピーカ２０−ＳＬ、及びサラウンドＲスピーカ２０−ＳＲからの測定音を収音したかどうかが判定される。
【００７５】
ステップＳ１２において、全てのスピーカ２０から測定音を収音していないと判定された場合、収音処理は継続される。
【００７６】
そして、ステップＳ１２において、全てのスピーカ２０から測定音を収音したと判定された場合、処理は、ステップＳ１３に進められる。ステップＳ１３において、マイクロフォン１０３は、収音を終了する。
【００７７】
ここで、図５には、オーディオ信号再生装置３０から各スピーカ２０に供給される信号の信号波形の例を示している。なお、図５において、Ｌ，Ｒ，Ｃ，ＳＬ，ＳＲは、図１に示した各スピーカ２０の配置に対応している。また、図５において、時間の方向は、図中の左側から右側に向かう方向とされる。
【００７８】
オーディオ信号再生装置３０では、測定信号が再生され、フロントＬスピーカ２０−Ｌ、フロントＲスピーカ２０−Ｒ、センタスピーカ２０−Ｃ、サラウンドＬスピーカ２０−ＳＬ、サラウンドＲスピーカ２０−ＳＲの順に、T秒ごとに、測定信号に応じた測定音が出力（再生）されるため、図５に示すような信号波形が得られる。
【００７９】
すなわち、最初に測定音が出力されるフロントＬスピーカ２０−Ｌによる測定音に応じた信号波形の波形位置P0を基準にすれば（時刻0とすれば）、その次に測定音が出力されるフロントＲスピーカ２０−Ｒによる測定音に応じた信号波形の波形位置P1は、波形位置P0から時間T秒後の位置に相当する。
【００８０】
同様に、センタスピーカ２０−Ｃによる測定音に応じた信号波形の波形位置P2は、波形位置P1から時間T秒後の位置に相当する。同様にまた、サラウンドＬスピーカ２０−ＳＬによる測定音に応じた信号波形の波形位置P3は、波形位置P2から時間T秒後の位置に相当し、サラウンドＲスピーカ２０−ＳＲによる測定音に応じた信号波形の波形位置P4は、波形位置P3から時間T秒後の位置に相当する。
【００８１】
このように、オーディオ信号再生装置３０では、測定信号を再生することで、所定の時間間隔（時間Tの一定間隔）で、各スピーカ２０に対し、測定信号に応じた信号を供給することになるため、各スピーカ２０から出力される測定音に応じた信号波形の波形位置P0，P1，P2，P3，P4は、T秒ごとの等間隔（一定間隔）となる。
【００８２】
なお、ここでの測定信号としては、例えば、時間軸上での波形位置の把握が容易となるインパルス信号、又は周波数軸上での位相処理によってインパルス信号に復元可能な信号などを用いることができる。
【００８３】
一方で、図６には、携帯端末装置１０のマイクロフォン１０３により収音される収音信号（各スピーカ２０の応答信号）の信号波形の例を示している。なお、図６においても、時間の方向は、図中の左側から右側に向かう方向とされる。
【００８４】
携帯端末装置１０では、マイクロフォン１０３によって、フロントＬスピーカ２０−Ｌ、フロントＲスピーカ２０−Ｒ、センタスピーカ２０−Ｃ、サラウンドＬスピーカ２０−ＳＬ、サラウンドＲスピーカ２０−ＳＲの順に、測定音に応じた収音信号が得られるため、図６に示すような信号波形が得られる。
【００８５】
すなわち、図６においては、先頭の無音区間Sに続いて、T秒ごとの等間隔で、各スピーカ２０から出力される測定音に応じた信号波形（ピーク波形）を有する収音信号が収音されている。
【００８６】
具体的には、最初に測定音が出力されるフロントＬスピーカ２０−Ｌからの測定音に応じた信号波形の波形位置P0を基準にすれば、その次に測定音が出力されるフロントＲスピーカ２０−Ｒからの測定音に応じた信号波形の波形位置P1は、波形位置P0から時間T秒後の位置に相当する。
【００８７】
同様に、センタスピーカ２０−Ｃからの測定音に応じた信号波形の波形位置P2は、波形位置P1から時間T秒後の位置に相当する。同様にまた、サラウンドＬスピーカ２０−ＳＬからの測定音に応じた信号波形の波形位置P3は、波形位置P2から時間T秒後の位置に相当し、サラウンドＲスピーカ２０−ＳＲからの測定音に応じた信号波形の波形位置P4は、波形位置P3から時間T秒後の位置に相当する。
【００８８】
このように、図１に示したような、各スピーカ２０が理想的な位置に配置されている場合には、携帯端末装置１０が置かれた聴取位置から、各スピーカ２０までの距離は一定となって、各スピーカ２０の距離差が0となる。そのため、図６に示した収音信号の信号波形は、図５に示した信号波形と同様に、各スピーカ２０から出力された測定音に応じた信号波形の波形位置P0，P1，P2，P3，P4は、T秒ごとの等間隔（一定間隔）となる。
【００８９】
なお、図６において、無音区間Sには、フロントＬスピーカ２０−Ｌから、携帯端末装置１０のマイクロフォン１０３に至る音波の伝播時間のほか、携帯端末装置１０のマイクロフォン１０３での収音開始から、実際に、フロントＬスピーカ２０−Ｌから測定音が出力されるまでの、携帯端末装置１０及びオーディオ信号再生装置３０でのシステム処理遅延時間などが含まれる。
【００９０】
ここで、マルチチャンネルオーディオシステム１において、携帯端末装置１０の収音動作と、オーディオ信号再生装置３０の再生動作とは、非同期動作であるため、これらのシステム処理遅延時間は不定となり、無音区間Sの時間長も不定となる。すなわち、オーディオ信号再生装置３０と携帯端末装置１０には、測定信号の再生と収音における特別な同期機構（同期再生・収音機構）は設けられていない。
【００９１】
そのため、マルチチャンネルオーディオシステム１においては、測定時に、オーディオ信号再生装置３０で、測定信号の再生が開始される前に、携帯端末装置１０のマイクロフォン１０３で、収音を開始することで、再生される測定信号の先頭部分を確実に収音できるようにしている。
【００９２】
図４の説明に戻り、ステップＳ１４において、距離差算出部１１１は、ステップＳ１１乃至Ｓ１３の処理で得られる収音結果に基づいて、各スピーカ２０の距離差を算出する。
【００９３】
この距離差算出処理では、収音信号における、各スピーカ２０からの測定音に応じた信号波形の波形位置から、各スピーカ２０の距離差を算出する。例えば、ここでは、まず、距離差の基準値として、最初に再生されるフロントＬスピーカ２０−Ｌの距離を設定する。
【００９４】
図１に示したスピーカ２０の配置は、理想的な配置であって、聴取位置に置かれた携帯端末装置１０から、各スピーカ２０までの距離（相対距離）は、同一の距離となる。すなわち、フロントＲスピーカ２０−Ｒ、センタスピーカ２０−Ｃ、サラウンドＬスピーカ２０−ＳＬ、及びサラウンドＲスピーカ２０−ＳＲは、フロントＬスピーカ２０−Ｌとの距離差が全て0となる。
【００９５】
そのため、図６に示したように、収音信号における各スピーカ２０から出力された測定音に応じた信号波形の波形位置P0，P1，P2，P3，P4は、図５に示した信号波形と同様に、T秒ごとの等間隔となっている。
【００９６】
ステップＳ１５において、遅延量算出部１１２は、ステップＳ１４の処理で得られる距離差に基づいて、各スピーカ２０の遅延量を算出する。
【００９７】
ここで、スピーカ２０の配置が、図１に示した理想的な配置の場合には、各スピーカ２０の距離差は0となり、各スピーカ２０の再生タイミングは一致している。そのため、各スピーカ２０の遅延量は、0となる。
【００９８】
ステップＳ１６において、送信部１０６は、ステップＳ１５の処理で得られる遅延量に応じた遅延データを、オーディオ信号再生装置３０に送信する。ただし、携帯端末装置１０では、各スピーカ２０の遅延量が0となる場合には、遅延データを送信しないか、あるいは、その旨を、オーディオ信号再生装置３０に通知するようにしてもよい。
【００９９】
以上、測定処理の流れを説明した。
【０１００】
（測定信号再生処理の流れ）
次に、図７のフローチャートを参照して、オーディオ信号再生装置３０により実行される測定信号再生処理の流れを説明する。
【０１０１】
ステップＳ３１において、コントローラ３００は、受信部３０２により受信されるデータを監視することで、携帯端末装置１０から、測定信号の再生開始指示を受けたかどうかを判定する。
【０１０２】
ステップＳ３１において、測定信号の再生開始指示を受けていないと判定された場合、ステップＳ３１の判定処理が繰り返される。一方で、ステップＳ３１において、測定信号の再生開始指示を受けたと判定された場合、処理は、ステップＳ３２に進められる。
【０１０３】
ステップＳ３２において、コントローラ３００は、メモリ３０１に記録された測定信号を読み出して再生し、その測定信号に応じた信号を、所定のスピーカ２０に供給することで、測定信号に応じた測定音を、所定のスピーカ２０から出力（再生）する。
【０１０４】
ステップＳ３３において、コントローラ３００は、全てのスピーカ２０から測定音を出力したかどうか判定する。
【０１０５】
ここで、オーディオ信号再生装置３０では、コントローラ３００によって、メモリ３０１から読み出された測定信号が、信号増幅器３０４−１乃至３０４−５のいずれかに供給されることで、測定信号に応じた測定音が、フロントＬスピーカ２０−Ｌ、フロントＲスピーカ２０−Ｒ、センタスピーカ２０−Ｃ、サラウンドＬスピーカ２０−ＳＬ、サラウンドＲスピーカ２０−ＳＲの順に、所定の時間間隔で、出力（再生）される。
【０１０６】
ステップＳ３３において、全てのスピーカ２０から測定音を出力していないと判定された場合、処理は、ステップＳ３２に戻り、全てのスピーカ２０から測定音が出力されるまで、ステップＳ３２の再生処理が繰り返される。
【０１０７】
そして、ステップＳ３３において、全てのスピーカ２０から測定音を出力したと判定された場合、処理は、ステップＳ３４に進められる。
【０１０８】
なお、ここでは、図５を参照して上述したように、オーディオ信号再生装置３０では、測定信号を再生することで、所定の時間間隔（時間Tの一定間隔）で、各スピーカ２０に対し、測定信号に応じた信号を供給することになるため、各スピーカ２０から出力される測定音に応じた信号波形の波形位置P0，P1，P2，P3，P4は、T秒ごとの等間隔となっている。
【０１０９】
また、この測定信号の時間間隔Tとしては、例えば、聴取位置から各スピーカ２０の位置までの距離差によって生じるずれの最大時間を上回る値とすることができる。このとき、測定に要する時間は、スピーカ２０の数×T秒を演算することで求められる。
【０１１０】
ステップＳ３４において、コントローラ３００は、受信部３０２により受信されるデータを監視することで、携帯端末装置１０から、遅延量に応じた遅延データを受信したかどうかを判定する。
【０１１１】
ステップＳ３４において、遅延データを受信していないと判定された場合、ステップＳ３４の判定処理が繰り返される。一方、携帯端末装置１０側で、図４のステップＳ１６の処理が実行されることで、ステップＳ３４において、遅延データを受信したと判定された場合、処理は、ステップＳ３５に進められる。
【０１１２】
ステップＳ３５において、コントローラ３００は、携帯端末装置１０から受信した遅延データから得られる遅延量を、メモリ３０１に記録する。
【０１１３】
以上、測定信号再生処理の流れを説明した。
【０１１４】
（Ｂ）各スピーカ間に距離差がある配置の場合
【０１１５】
（マルチチャンネルオーディオシステムの構成）
図８は、各スピーカ間に距離差がある配置の場合のマルチチャンネルオーディオシステムの構成例を示す図である。
【０１１６】
図８に示したスピーカ２０の配置は、図１に示した理想的な配置と比べて、センタスピーカ２０−ＣとフロントＲスピーカ２０−Ｒの配置位置がずれており、他のスピーカ２０（Ｌ，ＳＬ，ＳＲ）との間に距離差がある配置となっている。
【０１１７】
具体的には、図中の聴取位置を中心とした点線の円に対する各スピーカ２０の配置位置の関係から明らかなように、フロントＬスピーカ２０−Ｌに比べて、センタスピーカ２０−Ｃは、距離lcだけ遠い位置に配置され、フロントＲスピーカ２０−Ｒは、距離lrだけ近い位置に配置されている。
【０１１８】
（測定処理の流れ）
このような、各スピーカ２０の間に距離差がある配置の場合に、聴取位置に置かれた携帯端末装置１０によって、図４の測定処理が実行されると、次のようになる。
【０１１９】
すなわち、図４のステップＳ１１乃至Ｓ１３においては、マイクロフォン１０３によって、全てのスピーカ２０から測定音が収音されるまで、収音処理が継続されることで、全てのスピーカ２０からの測定音が収音される。
【０１２０】
図９には、図８に示したスピーカ配置の場合に、携帯端末装置１０のマイクロフォン１０３により収音される収音信号の信号波形の例を示している。なお、図９においても、時間の方向は、図中の左側から右側に向かう方向とされる。
【０１２１】
図９においては、不定長の無音区間S"と、フロントＬスピーカ２０−Ｌからの測定音に応じた信号波形の波形位置P0に続いて、フロントＲスピーカ２０−Ｒからの測定音に応じた信号波形の波形位置P1"と、センタスピーカ２０−Ｃからの測定音に応じた信号波形の波形位置P2"が現れている。
【０１２２】
ここで、フロントＲスピーカ２０−Ｒからの測定音から得られる波形位置P1"に注目すれば、図８に示したフロントＲスピーカ２０−Ｒの配置位置が聴取位置に近づいている分だけ、波形位置P1"は、理想的な波形位置P1（図６）と比べて、時間的に早い位置となっている（図９のP1からP1"に向かう矢印）。
【０１２３】
一方で、センタスピーカ２０−Ｃからの測定音から得られる波形位置P2"に注目すれば、図８に示したセンタスピーカ２０−Ｃの配置位置が聴取位置から遠ざかっている分だけ、波形位置P2"は、理想的な波形位置P2（図６）と比べて、時間的に遅い位置となっている（図９のP2からP2"に向かう矢印）。
【０１２４】
これらの波形位置と距離差の関係は、音速Voを用いれば、下記の式（１）乃至式（４）の関係で表すことができる。
【０１２５】
（ｉ）フロントＲスピーカ２０−ＲとフロントＬスピーカ２０−Ｌとの距離差（lr）：
lr = (P1" - P1)×Vo       ・・・（１）
【０１２６】
ただし、式（１）において、P1" < P1とされる。したがって、lrは、負値となる。
【０１２７】
（ii）センタスピーカ２０−ＣとフロントＬスピーカ２０−Ｌとの距離差（lc）：
lc = (P2" - P2)×Vo       ・・・（２）
【０１２８】
ただし、式（２）において、P2 < P2"とされる。したがって、lcは、正値となる。
【０１２９】
（iii）サラウンドＬスピーカ２０−ＳＬとフロントＬスピーカ２０−Ｌとの距離差（lsl）：
lsl = 0       ・・・（３）
【０１３０】
（iv）サラウンドＲスピーカ２０−ＳＲとフロントＬスピーカ２０−Ｌとの距離差（lsr）：
lsr = 0       ・・・（４）
【０１３１】
図４のステップＳ１４においては、距離差算出部１１１によって、図９に示した収音信号の信号波形の波形位置に基づいて、フロントＬスピーカ２０−Ｌの距離を基準として、フロントＲスピーカ２０−Ｒの距離は、lrだけ短く、センタスピーカ２０−Ｃの距離は、lcだけ長いことが算出される。
【０１３２】
また、サラウンドＬスピーカ２０−ＳＬとサラウンドＲスピーカ２０−ＳＲからの測定音から得られる波形位置は、理想的な波形位置P3，P4（図６）と同一であるので、基準となるフロントＬスピーカ２０−Ｌとの距離差は、lsl，lsrとも0と算出される。
【０１３３】
図４のステップＳ１５においては、遅延量算出部１１２によって、上述した式（１）乃至式（４）を演算することで得られる、フロントＬスピーカ２０−Ｌの位置を基準としたときの各スピーカ２０の距離差に基づいて、聴取位置での各スピーカ２０からの再生タイミングを一致させるために必要な遅延量が算出される。
【０１３４】
図８に示したスピーカ２０の配置において、各スピーカ２０の遅延量は、最大の距離差であるlcを基準にして、下記の式（５）乃至式（９）の関係で表すことができる。ただし、式（５）乃至式（９）においても、Voは、音速を表している。
【０１３５】
（ｉ）フロントＬスピーカ２０−Ｌの遅延量（Dl）：
Dl = lc / Vo       ・・・（５）
【０１３６】
（ii）フロントＲスピーカ２０−Ｒの遅延量（Dr）：
Dr = (lc - lr) / Vo       ・・・（６）
【０１３７】
ただし、式（６）においては、lr < 0 とされる。
【０１３８】
（iii）センタスピーカ２０−Ｃの遅延量（Dc）：
Dc = 0       ・・・（７）
【０１３９】
（iv）サラウンドＬスピーカ２０−ＳＬの遅延量（Dsl）：
Dsl = lc / Vo       ・・・（８）
【０１４０】
（ｖ）サラウンドＲスピーカ２０−ＳＲの遅延量（Dsr）：
Dsr = lc / Vo       ・・・（９）
【０１４１】
このように、聴取位置に対して、最も遠い位置に配置されたセンタスピーカ２０−Ｃには、遅延量として、0が算出される一方で、最も近い位置に配置されたフロントＲスピーカ２０−Ｒには、lcとlrとを合わせた距離に相当する、最大の遅延量が算出される。
【０１４２】
また、それ以外のスピーカ２０、すなわち、フロントＬスピーカ２０−Ｌと、サラウンドＬスピーカ２０−ＳＬと、サラウンドＲスピーカ２０−ＳＲには、lcに相当する遅延量が算出される。
【０１４３】
そして、このようにして得られる遅延量（Dl，Dr，Dc，Dsl，Dsr）に応じた遅延データは、オーディオ信号再生装置３０に送信される（図４のステップＳ１６の処理）。
【０１４４】
以上、測定処理の流れを説明した。
【０１４５】
（２）再生時の各機器の構成と動作
【０１４６】
次に、図１０及び図１１を参照して、再生時の各機器の構成と動作について説明する。
【０１４７】
（再生時の再生側の機器の構成）
図１０は、スピーカ２０（Ｃ，Ｌ，Ｒ，ＳＬ，ＳＲ）を含む再生側の機器の構成例を示すブロック図である。
【０１４８】
図１０において、再生側の機器としては、図３に示した構成と同様に、複数のスピーカ２０のほかに、オーディオ信号再生装置３０及び外部信号源４０が含まれる。
【０１４９】
また、図１０の再生時のオーディオ信号再生装置３０を、図３の測定時のオーディオ信号再生装置３０と比べると、復号部３０３と、信号増幅器３０４−１乃至３０４−５との間に、遅延メモリ３０５−１乃至３０５−５が設けられている点が異なっている。
【０１５０】
コントローラ３００は、測定時にメモリ３０１に記録された遅延量（Dl，Dr，Dc，Dsl，Dsr）を読み出し、遅延メモリ３０５−１乃至３０５−５にそれぞれ設定する。
【０１５１】
すなわち、オーディオ信号再生装置３０において、フロントＬスピーカ２０−Ｌの系列（チャンネル）では、信号増幅器３０４−１の前段に、遅延メモリ３０５−１が設けられ、コントローラ３００によって、遅延メモリ３０５−１に対し、フロントＬスピーカ２０−Ｌの遅延量（Dl）が設定される。
【０１５２】
また、フロントＲスピーカ２０−Ｒの系列では、信号増幅器３０４−２の前段に、遅延メモリ３０５−２が設けられ、フロントＲスピーカ２０−Ｒの遅延量（Dr）が設定される。同様に、センタスピーカ２０−Ｃの系列では、信号増幅器３０４−３の前段に、遅延メモリ３０５−３が設けられ、センタスピーカ２０−Ｃの遅延量（Dc）が設定される。
【０１５３】
また、サラウンドＬスピーカ２０−ＳＬの系列では、信号増幅器３０４−４の前段に、遅延メモリ３０５−４が設けられ、サラウンドＬスピーカ２０−ＳＬの遅延量（Dsl）が設定される。同様に、サラウンドＲスピーカ２０−ＳＲの系列では、信号増幅器３０４−５の前段に、遅延メモリ３０５−５が設けられ、サラウンドＲスピーカ２０−ＳＲの遅延量（Dsr）が設定される。
【０１５４】
ここで、再生時において、オーディオ信号再生装置３０には、外部信号源４０から信号が入力される。外部信号源４０は、例えば、DVD(Digital Versatile Disc)等の光学ディスク再生装置等として構成され、DVD等の光学ディスクから読み出された記録信号が、オーディオ信号再生装置３０に入力される。
【０１５５】
オーディオ信号再生装置３０では、復号部３０３によって、外部信号源４０から入力される信号が復号され、その結果得られるマルチチャンネルのオーディオ信号が、遅延メモリ３０５−１乃至３０５−５に設定される各系列の遅延量（Dl，Dr，Dc，Dsl，Dsr）に応じて遅延され、信号増幅器３０４−１乃至３０４−５にそれぞれ供給される。
【０１５６】
そして、信号増幅器３０４−１乃至３０４−５により増幅された信号が、フロントＬスピーカ２０−Ｌ、フロントＲスピーカ２０−Ｒ、センタスピーカ２０−Ｃ、サラウンドＬスピーカ２０−ＳＬ、及びサラウンドＲスピーカ２０−ＳＲに、それぞれ供給され、オーディオ信号が再生されることになる。
【０１５７】
再生時の再生側の機器は、以上のように構成される。
【０１５８】
（オーディオ信号再生処理の流れ）
次に、図１１のフローチャートを参照して、オーディオ信号再生装置３０により実行されるオーディオ信号再生処理の流れを説明する。ただし、図１１のオーディオ信号再生処理を実行する際には、上述した図４の測定処理や、図７の測定信号再生処理が実行済みであって、メモリ３０１には、各スピーカ２０の遅延量が記録されているものとする（図７のステップＳ３５の処理）。
【０１５９】
ステップＳ５１において、復号部３０３は、外部信号源４０から入力される信号を処理して、マルチチャンネルのオーディオ信号を復号する。
【０１６０】
ステップＳ５２において、遅延メモリ３０５−１乃至３０５−５は、復号された各チャンネルのオーディオ信号ごとに、測定時に得られる各スピーカ２０の遅延量に応じた適切な遅延を与える。
【０１６１】
ここでは、スピーカ２０（Ｃ，Ｌ，Ｒ，ＳＬ，ＳＲ）の配置位置が、例えば、図８に示した各スピーカ間に距離差がある配置となる場合に、その距離差に応じた遅延量（Dl，Dr，Dc，Dsl，Dsr）が、遅延メモリ３０５−１乃至３０５−５にそれぞれ設定され、各チャンネルのオーディオ信号ごとに遅延される。
【０１６２】
具体的には、図８に示したスピーカ２０の配置では、センタスピーカ２０−ＣとフロントＲスピーカ２０−Ｒが、他のスピーカ２０（Ｌ，ＳＬ，ＳＲ）との間に距離差がある配置となっており、測定時に、上述した測定処理（図４）と測定信号再生処理（図７）が実行されることで、各スピーカ２０の遅延量（Dl，Dr，Dc，Dsl，Dsr）が求められ、メモリ３０１に記録されている。
【０１６３】
すなわち、測定時に、上述した式（５）乃至式（９）により求められる遅延量Dl，Dr，Dc，Dsl，Dsrが、メモリ３０１に記録されるので、再生時には、そこから遅延量Dl，Dr，Dc，Dsl，Dsrを読み出して、遅延メモリ３０５−１乃至３０５−５に、それぞれ設定することができる。
【０１６４】
ステップＳ５３において、信号増幅器３０４−１乃至３０４−５は、遅延量に応じて遅延された信号を増幅して、各チャンネルのオーディオ信号を、該当するチャンネルのスピーカ２０に供給する。これにより、各チャンネルのオーディオ信号が再生され、各スピーカ２０からは、オーディオ信号に応じた音が出力（再生）される
【０１６５】
ここでは、最も遠い位置にあるセンタスピーカ２０−Ｃの遅延量は、Dc = 0であるので、遅延メモリ３０５−１には、遅延量0が設定され、センタスピーカ２０−Ｃの系列（チャンネル）では、オーディオ信号が、遅延なしで再生される。また、最も近い位置にあるフロントＲスピーカ２０−Ｒの遅延量は、Dr = (lc - lr) / Voとなるので、フロントＲスピーカ２０−Ｒの系列では、当該遅延量に応じた遅延で、オーディオ信号が再生される。
【０１６６】
それ以外のフロントＬスピーカ２０−Ｌ、サラウンドＬスピーカ２０−ＳＬ、及びサラウンドＲスピーカ２０−ＳＲの遅延量は、lc / Voで共通となるので、フロントＬスピーカ２０−Ｌ、サラウンドＬスピーカ２０−ＳＬ、及びサラウンドＲスピーカ２０−ＳＲの系列では、当該遅延量に応じた遅延で、オーディオ信号が再生される。
【０１６７】
このように、オーディオ信号を再生する前の測定時に、時間的に等間隔となる測定信号を、各スピーカ２０から順に再生して、その測定音の収音を行うことで、各スピーカ２０と聴取位置との距離差が順次算出され、オーディオ信号の再生時には、当該距離差に応じた遅延設定を行うことで、オーディオ信号の再生タイミングが調整される。その結果として、聴取タイミングが補正され、聴取位置での各スピーカ２０からの聴取タイミングを一致させることが可能となる。
【０１６８】
なお、上述した説明では、図８に示したスピーカ２０の配置の場合を中心に説明したが、図１に示した理想的な配置の場合には、聴取位置から、各スピーカ２０までの距離は一定となって、各スピーカ２０と聴取位置との距離差がないため、ステップＳ５２の処理で遅延設定を行わなくても、聴取位置での各スピーカ２０からの聴取タイミングが一致することになる。
【０１６９】
以上、オーディオ信号再生処理の流れを説明した。
【０１７０】
以上のように、第１の実施の形態においては、測定時に、等間隔の測定信号を連続して各スピーカ２０から順に再生することで、マイクロフォン１０３が内蔵された携帯端末装置１０では、各スピーカ２０と聴取位置との距離差（各スピーカ２０間の相対距離）に応じた適切な遅延量を算出することができる。そのため、再生時に、オーディオ信号再生装置３０では、この距離差に応じた遅延設定を行い、聴取タイミングの補正を行うことで、聴取位置での各スピーカ２０からの聴取タイミングを一致させることが可能となる。
【０１７１】
例えば、一般の家庭において、複数のスピーカ２０を配置する場合には、家屋の形状や家具類の配置による物理的な制限が生じる可能性があるが、このような制限のある状況で、複数のスピーカ２０の配置位置を、聴取位置から等距離の位置に配置できない場合でも、本技術を適用したマルチチャンネルオーディオシステム１では、聴取位置での各スピーカ２０からの聴取タイミングを一致させることができる。
【０１７２】
なお、上述した特許文献１及び特許文献２に開示されている技術では、各スピーカから再生された測定信号を聴取位置に置かれたマイクロフォンで収音して、距離測定等の解析処理を行っているが、スピーカ側での測定信号の再生動作と、マイクロフォン側での応答信号の収音動作の両動作が厳密に同期している必要があった。
【０１７３】
ここで、上記の文献に開示されているマイクロフォンを、スマートフォン等の携帯端末装置１０に内蔵されたマイクロフォン１０３に置き換えた場合、オーディオ信号再生装置３０（スピーカ２０）側の再生動作と、携帯端末装置１０（マイクロフォン１０３）側の収音動作がそれぞれ独立した非同期の動作となる。そのため、オーディオ信号再生装置３０（スピーカ２０）側と、携帯端末装置１０（マイクロフォン１０３）側の両方に、ワイヤレスに対応した同期再生・収音機構（高価な機構や複雑な機構）を組み込む必要が出てくる。
【０１７４】
そのため、より簡単な構成で、聴取位置での各スピーカからの聴取タイミングを一致させるための技術が求められていたが、本技術を用いることで、そのような要求に応えることができる。すなわち、本技術では、測定信号の再生・収音における同期機構や距離測定用の専用のマイクロフォンが不要となって、携帯端末装置１０（例えば、ユーザが保有するスマートフォン等）に内蔵されたマイクロフォン１０３が使用可能となり、利便性の向上を図ることもできる。
【０１７５】
なお、システムとは、複数の装置が論理的に集合したものをいう。また、マルチチャンネルオーディオシステム１は、聴取位置での各スピーカ２０からの聴取タイミングを一致させることが可能な音場補正システムであるとも言える。
【０１７６】
＜２．第２の実施の形態＞
【０１７７】
ところで、第１の実施の形態では、測定時に用いられる測定信号が、オーディオ信号再生装置３０のメモリ３０１（図３）に記録されている場合を例示したが、測定信号は、携帯端末装置１０のメモリ１０１（図２）に記録されるようにしてもよい。
【０１７８】
また、図３又は図１０に示した再生側の機器の構成では、単一のオーディオ信号再生装置３０に対し、複数のスピーカ２０が付随する構成としていたが、各スピーカ２０を独立させて、図１２に示すようなワイヤレススピーカ２１として構成されるようにしてもよい。
【０１７９】
（ワイヤレススピーカの構成）
図１２において、ワイヤレススピーカ２１は、コントローラ２００、受信部２０１、送信部２０２、復号部２０３、再生バッファ２０４、信号増幅器２０５、及びスピーカユニット２０６から構成される。
【０１８０】
コントローラ２００は、マイクロコントローラであって、各種の演算処理や、各部の動作制御など、ワイヤレススピーカ２１における中心的な処理装置として動作する。なお、コントローラ２００は、CPUやマイクロプロセッサ等から構成されるようにしてもよい。
【０１８１】
受信部２０１及び送信部２０２は、例えば、通信I/F回路として構成される。受信部２０１は、アンテナ２３１を介して外部の機器との間で通信を行うことで、各種のデータを受信し、コントローラ２００に供給する。送信部２０２は、アンテナ２３１を介して外部の機器との間で通信を行うことで、コントローラ２００からの各種のデータを送信する。
【０１８２】
なお、この通信I/F回路としては、例えば、無線LAN等の無線通信プロトコル、Bluetooth（登録商標）等の近距離無線通信プロトコル、又はLTE等のセルラー通信プロトコルなどの各種のプロトコルを実装することができる。
【０１８３】
復号部２０３は、そこに入力される信号を、所定の復号方式に応じて復号し、その結果得られるオーディオ信号を出力する。再生バッファ２０４は、復号されたオーディオ信号をバッファリングし、信号増幅器２０５に供給する。
【０１８４】
信号増幅器２０５は、そこに入力されるオーディオ信号を増幅し、スピーカユニット２０６に供給する。スピーカユニット２０６は、信号増幅器２０５により増幅されたオーディオ信号に応じた音を出力（再生）する。
【０１８５】
ワイヤレススピーカ２１は、以上のように構成される。
【０１８６】
なお、ワイヤレススピーカ２１は、携帯端末装置１０からのオーディオ信号やコマンドを受信するほか、他のワイヤレススピーカとの間で、再生同期のための制御信号等を無線通信により相互にやり取りを行い、各ワイヤレススピーカ間の同期再生機構を有している。
【０１８７】
（ワイヤレススピーカシステムの構成）
図１３は、各ワイヤレススピーカ間に距離差がある場合のワイヤレススピーカシステムの構成例を示す図である。
【０１８８】
図１３において、ワイヤレススピーカシステム２では、聴取位置（聴取点）に置かれた携帯端末装置１０に対し、センタワイヤレススピーカ２１−Ｃ、フロントＬワイヤレススピーカ２１−Ｌ、フロントＲワイヤレススピーカ２１−Ｒ、サラウンドＬワイヤレススピーカ２１−ＳＬ、及びサラウンドＲワイヤレススピーカ２１−ＳＲが配置されている。
【０１８９】
図１３に示したワイヤレススピーカ２１の配置は、図８に示したスピーカ２０の配置と同様に、センタワイヤレススピーカ２１−ＣとフロントＲワイヤレススピーカ２１−Ｒの配置位置がずれており、他のワイヤレススピーカ２１（Ｌ，ＳＬ，ＳＲ）との間に距離差がある配置となっている。
【０１９０】
具体的には、図中の聴取位置を中心とした点線の円に対する各ワイヤレススピーカ２１の配置位置の関係から明らかなように、フロントＬワイヤレススピーカ２１−Ｌに比べて、センタワイヤレススピーカ２１−Ｃは、距離lcだけ遠い位置に配置され、フロントＲワイヤレススピーカ２１−Ｒは、距離lrだけ近い位置に配置されている。
【０１９１】
ここで、測定時において、聴取位置に置かれた携帯端末装置１０では、メモリ１０１に記録された測定信号が読み出され、送信部１０６によって、センタワイヤレススピーカ２１−Ｃ、フロントＬワイヤレススピーカ２１−Ｌ、フロントＲワイヤレススピーカ２１−Ｒ、サラウンドＬワイヤレススピーカ２１−ＳＬ、及びサラウンドＲワイヤレススピーカ２１−ＳＲにそれぞれ送信される。
【０１９２】
すなわち、ここでは、上述した図５に示した信号波形と同様の信号が、携帯端末装置１０から各ワイヤレススピーカ２１に対して送信される。これにより、各ワイヤレススピーカ２１からは、測定信号に応じた測定音が出力（再生）されるので、聴取位置に置かれた携帯端末装置１０では、各ワイヤレススピーカ２１からの測定音が収音される。
【０１９３】
ここで、図１３に示したワイヤレススピーカ２１の配置は、図８に示したスピーカ２０の配置と同様とされ、図９に示した信号波形と同様の収音信号が得られるので、携帯端末装置１０では、上述した第１の実施の形態と同様に、各ワイヤレススピーカ２１の遅延量が求められ、各ワイヤレススピーカ２１に送信される。
【０１９４】
例えば、上述した式（５）乃至式（９）を演算することで、フロントＬワイヤレススピーカ２１−Ｌ、フロントＲワイヤレススピーカ２１−Ｒ、センタワイヤレススピーカ２１−Ｃ、サラウンドＬワイヤレススピーカ２１−ＳＬ、及びサラウンドＲワイヤレススピーカ２１−ＳＲに対し、遅延量Dl，Dr，Dc，Dsl，Dsrがそれぞれ求められる。
【０１９５】
そして、各ワイヤレススピーカ２１においては、受信部２０１によって、携帯端末装置１０からの遅延データ（遅延量）が受信され、コントローラ２００によって、復号部２０３及び再生バッファ２０４が制御され、当該遅延量が、オーディオ信号に対し適切に設定されることになる。その結果として、各ワイヤレススピーカ２１において、オーディオ信号の再生タイミングが調整され（聴取タイミングが補正され）、聴取位置での各ワイヤレススピーカ２１からの聴取タイミングを一致させることが可能となる。
【０１９６】
なお、各ワイヤレススピーカ２１により再生されるオーディオ信号は、光学ディスク再生装置等の外部信号源４０から、無線LANやBluetooth（登録商標）等の無線通信によって提供されるほか、例えば、携帯端末装置１０において、ダウンロードされた音楽のオーディオ信号や、ストリーミング再生されている音楽のオーディオ信号などであってもよい。
【０１９７】
以上のように、第２の実施の形態においては、測定時に、等間隔の測定信号を連続して各ワイヤレススピーカ２１から順に再生することで、マイクロフォン１０３が内蔵された携帯端末装置１０では、各ワイヤレススピーカ２１と聴取位置との距離差に応じた適切な遅延量を算出することができる。そのため、再生時に、ワイヤレススピーカ２１では、この距離差に応じた遅延設定を行い、聴取タイミングの補正を行うことで、聴取位置での各ワイヤレススピーカ２１からの聴取タイミングを一致させることが可能となる。
【０１９８】
＜３．変形例＞
【０１９９】
（測定信号の時間間隔Tの設定）
上述した説明では、図５に示した測定信号の時間間隔Tとして、聴取位置から各スピーカ２０（ワイヤレススピーカ２１）の位置までの距離差によって生じるずれの最大時間を上回る値を設定することができると説明したが、例えば、２回目以降の測定時又は事前に、距離差の最大値が想定（予測）できる場合には、その想定値（予測値）をわずかに上回る時間間隔を、時間間隔Tとして設定することができる。その結果として、測定に要する時間を減らすことができる。
【０２００】
また、時間間隔Tは、全てのスピーカ２０（ワイヤレススピーカ２１）に対し、同じ値とする必要はなく、各スピーカ２０（ワイヤレススピーカ２１）の想定される距離差に応じた値が、個別に設定されるようにしてもよい。
【０２０１】
（サラウンドのチャンネル数）
上述した説明では、サラウンドのチャンネル数として、５チャンネル（Ｃ，Ｌ，Ｒ，ＳＬ、ＳＲ）の場合を一例に説明したが、例えば、7chや9ch，5.1ch，7.1ch，9.1ch等の他のチャンネル数であっても同様に、本技術を適用することができる。さらには、2.0chのステレオの場合でも同様に、本技術を適用することができる。
【０２０２】
すなわち、チャンネル数が増減して、他のチャンネル数となった場合でも、上述した５チャンネルの場合と同様に、測定時に、等間隔の測定信号を連続して、チャンネル数分のスピーカ２０（ワイヤレススピーカ２１）から順に再生することで、各スピーカ２０（ワイヤレススピーカ２１）と聴取位置との距離差に応じた適切な遅延量を求めることができる。
【０２０３】
そのため、再生時に、オーディオ信号再生装置３０（ワイヤレススピーカ２１）では、この距離差に応じた遅延設定を行い、聴取タイミングの補正を行うことで、聴取位置での各スピーカ２０（ワイヤレススピーカ２１）からの聴取タイミングを一致させることができる。
【０２０４】
また、複数のスピーカ２０（ワイヤレススピーカ２１）の配置場所としては、家庭内（ユーザ宅）に限らず、例えば、車両内など、複数のスピーカ２０（ワイヤレススピーカ２１）を配置可能なスペースが存在する空間であれば、いずれの場所に設置されるようにしてもよい。すなわち、本技術を用いることで、スピーカ２０を配置する際に物理的な制限がある場合でも、聴取位置での各スピーカ２０からの聴取タイミングを一致させることができるため、物理的な制限がある空間に、スピーカ２０を配置することが可能となる。
【０２０５】
（他の構成例）
上述した説明では、聴取位置に置かれた携帯端末装置１０によって、各スピーカ２０の距離差が算出され、その距離差から、各スピーカ２０の遅延量が算出されるとして説明したが、これらの距離差や遅延量は、オーディオ信号再生装置３０側で、算出されるようにしてもよい。この場合、オーディオ信号再生装置３０（図３）が、距離差算出部１１１（図２）と、遅延量算出部１１２（図２）を有することになる。
【０２０６】
そして、測定時には、収音データ（収音信号）そのものが、携帯端末装置１０からオーディオ信号再生装置３０に送信され、オーディオ信号再生装置３０においては、距離差算出部１１１によって、各スピーカ２０の距離差が算出され、さらに、遅延量算出部１１２によって、各スピーカ２０の遅延量が算出されることになる。
【０２０７】
なお、各スピーカ２０（ワイヤレススピーカ２１）の距離差や遅延量は、例えばインターネット等のネットワーク上に設置されたサーバによって算出されるようにしてもよい。この場合、測定時に、携帯端末装置１０は、収音データそのものを、ネットワーク上のサーバに送信することで、当該サーバが、収音データに基づいて、各スピーカ２０の距離差や遅延量を算出する。そして、当該サーバは、算出した遅延量を、ネットワークを介してオーディオ信号再生装置３０（各ワイヤレススピーカ２１）に送信することになる。
【０２０８】
（レベルや周波数特性の調整）
上述した説明では、収音信号の信号波形（図６，図９）を用いて、各スピーカ２０（ワイヤレススピーカ２１）の遅延量を求めたが、収音信号の信号波形から得られる情報を用い、オーディオ信号のレベルや周波数特性等を調整するようにしてもよい。これにより、聴取位置での各スピーカ２０（ワイヤレススピーカ２１）からの聴取タイミングを一致させるだけでなく、ユーザは、より最適な音を聴取することが可能となる。
【０２０９】
＜４．コンピュータの構成＞
【０２１０】
上述した一連の処理（例えば、図４の測定処理、図７の測定信号再生処理、又は図１１のオーディオ信号再生処理）は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０２１１】
図１４は、上述した一連の処理をプログラムにより実行するコンピュータのハードウェアの構成例を示すブロック図である。
【０２１２】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及びドライブ１０１０が接続されている。
【０２１３】
入力部１００６は、マイクロフォンや物理的なボタン等よりなる。出力部１００７は、スピーカやディスプレイ等よりなる。記録部１００８は、不揮発性のメモリやハードディスク等よりなる。通信部１００９は、通信I/F回路等よりなる。ドライブ１０１０は、半導体メモリ、磁気ディスク、光ディスク、又は光磁気ディスク等のリムーバブル記録媒体１０１１を駆動する。
【０２１４】
以上のように構成されるコンピュータ１０００では、CPU１００１が、例えば、記録部１００８に記録されているプログラムを、入出力インターフェース１００５及びバス１００４を介して、RAM１００３にロードして実行することにより、上述した一連の処理が行われる。
【０２１５】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０２１６】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０２１７】
なお、コンピュータ１０００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１８】
ここで、本明細書において、コンピュータ１０００に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２１９】
また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０２２０】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２２１】
なお、本技術の実施の形態は、上述した実施の形態に限定されるものではなく、本技術の要旨を逸脱しない範囲において種々の変更が可能である。例えば、本技術は、１つの機能を、ネットワークを介して複数の装置で分担、共同して処理するクラウドコンピューティングの構成をとることができる。
【０２２２】
また、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０２２３】
なお、本技術は、以下のような構成をとることができる。
【０２２４】
（１）
聴取位置に対して設置されたスピーカに供給するオーディオ信号を再生する再生部と、
収音信号から得られる測定音の他のスピーカとの間隔に応じて、対象のスピーカに供給する前記オーディオ信号の遅延量を調整する調整部と
を備え、
前記収音信号は、前記聴取位置に設けられた収音装置で収音された測定音であって、測定信号に応じた前記測定音を含む信号であり、
前記測定信号は、前記聴取位置に対して設置された複数のスピーカに対し、所定の時間間隔で、前記測定音を出力させる信号である
オーディオ信号再生装置。
（２）
前記調整部は、前記聴取位置に対する、各スピーカの位置の距離差に応じて、前記オーディオ信号の遅延量を調整する
（１）に記載のオーディオ信号再生装置。
（３）
前記調整部は、前記複数のスピーカのうち、前記聴取位置に最も遠い位置に設置されたスピーカを基準に、前記オーディオ信号の遅延量を調整する
（２）に記載のオーディオ信号再生装置。
（４）
前記複数のスピーカと接続され、
前記複数のスピーカに対し、測定時に、前記測定信号を供給し、再生時に、前記遅延量に応じた前記オーディオ信号を供給する
（１）乃至（３）のいずれかに記載のオーディオ信号再生装置。
（５）
測定時において、前記収音装置での収音が開始された後に、前記測定信号を、前記複数のスピーカに供給する
（４）に記載のオーディオ信号再生装置。
（６）
前記収音装置は、マイクロフォンを有する端末装置であり、
前記端末装置は、前記マイクロフォンにより収音を開始した後に、前記オーディオ信号再生装置に対し、前記測定信号を、前記複数のスピーカのそれぞれに供給して、各スピーカから前記測定音の出力が開始されるように要求する
（１）乃至（５）のいずれかに記載のオーディオ信号再生装置。
（７）
前記端末装置は、
前記複数のスピーカから出力される前記測定音を収音して得られる前記収音信号に基づいて、前記オーディオ信号の遅延量を算出し、
算出した前記オーディオ信号の遅延量を、前記オーディオ信号再生装置に送信する
（６）に記載のオーディオ信号再生装置。
（８）
前記オーディオ信号再生装置は、前記聴取位置に対して設置されるスピーカであって、スピーカユニットを有するワイヤレススピーカであり、
前記スピーカユニットに対し、測定時に、前記測定信号を供給し、再生時に、前記遅延量に応じた前記オーディオ信号を供給する
（１）乃至（３）のいずれかに記載のオーディオ信号再生装置。
（９）
前記収音装置は、マイクロフォンを有する端末装置であり、
前記端末装置は、
前記マイクロフォンにより収音を開始した後に、前記測定信号を、複数のワイヤレススピーカのそれぞれに送信して、各ワイヤレススピーカから前記測定音の出力が開始されるように要求し、
前記複数のワイヤレススピーカから出力される前記測定音を収音して得られる前記収音信号に基づいて、前記オーディオ信号の遅延量を算出し、
算出した前記オーディオ信号の遅延量を、前記複数のワイヤレススピーカのそれぞれに送信して、各ワイヤレススピーカで、当該遅延量に応じた前記オーディオ信号が再生されるように要求する
（８）に記載のオーディオ信号再生装置。
（１０）
前記時間間隔は、前記聴取位置から各スピーカの位置までの距離差によって生じる、時間のずれの最大時間を上回る時間間隔とされる
（１）乃至（９）のいずれかに記載のオーディオ信号再生装置。
（１１）
前記時間間隔は、前記聴取位置から各スピーカの位置までの距離差の予測値を上回る時間間隔とされる
（１）乃至（９）のいずれかに記載のオーディオ信号再生装置。
（１２）
前記時間間隔は、前記複数のスピーカごとに、同一の時間間隔となるか、あるいは前記聴取位置から各スピーカの位置までの距離差の予測値に応じた異なる時間間隔となる
（１）乃至（９）のいずれかに記載のオーディオ信号再生装置。
（１３）
オーディオ信号再生装置の再生方法において、
前記オーディオ信号再生装置が、
聴取位置に対して設置されたスピーカに供給するオーディオ信号を再生する再生部と、
収音信号から得られる測定音の他のスピーカとの間隔に応じて、対象のスピーカに供給する前記オーディオ信号の遅延量を調整する調整部と
ステップを含み、
前記収音信号は、前記聴取位置に設けられた収音装置で収音された測定音であって、測定信号に応じた前記測定音を含む信号であり、
前記測定信号は、前記聴取位置に対して設置された複数のスピーカに対し、所定の時間間隔で、前記測定音を出力させる信号である
再生方法。
（１４）
コンピュータを、
聴取位置に対して設置されたスピーカに供給するオーディオ信号を再生する再生部と、
収音信号から得られる測定音の他のスピーカとの間隔に応じて、対象のスピーカに供給する前記オーディオ信号の遅延量を調整する調整部と
を備え、
前記収音信号は、前記聴取位置に設けられた収音装置で収音された測定音であって、測定信号に応じた前記測定音を含む信号であり、
前記測定信号は、前記聴取位置に対して設置された複数のスピーカに対し、所定の時間間隔で、前記測定音を出力させる信号である
オーディオ信号再生装置として機能させるためのプログラム。
（１５）
聴取位置に対して設置された複数のスピーカから出力される、測定信号に応じた測定音を収音して、収音信号を得る収音部を備え、
前記測定信号は、前記複数のスピーカに対し、所定の時間間隔で、前記測定音を出力させる信号であり、
前記収音信号は、前記聴取位置で収音された前記測定音を含む信号である
収音装置。
（１６）
前記収音部により収音を開始した後に、オーディオ信号の再生を行うオーディオ信号再生装置に対し、前記測定信号を、前記複数のスピーカのそれぞれに供給して、各スピーカから前記測定音の出力が開始されるように要求する
（１５）に記載の収音装置。
（１７）
前記複数のスピーカから出力される前記測定音を収音して得られる前記収音信号に基づいて、前記オーディオ信号の遅延量を算出する算出部と、
算出した前記オーディオ信号の遅延量を、前記オーディオ信号再生装置に送信する送信部と
をさらに備える（１５）又は（１６）に記載の収音装置。
（１８）
前記収音部は、マイクロフォンであり、
前記収音装置は、前記マイクロフォンを有する端末装置である
（１５）乃至（１７）のいずれかに記載の収音装置。
（１９）
収音装置の収音方法において、
前記収音装置が、
聴取位置に対して設置された複数のスピーカから出力される、測定信号に応じた測定音を収音して、収音信号を得るステップを含み、
前記測定信号は、前記複数のスピーカに対し、所定の時間間隔で、前記測定音を出力させる信号であり、
前記収音信号は、前記聴取位置で収音された前記測定音を含む信号である
収音方法。
（２０）
コンピュータを、
聴取位置に対して設置された複数のスピーカから出力される、測定信号に応じた測定音を収音して、収音信号を得る収音部を備え、
前記測定信号は、前記複数のスピーカに対し、所定の時間間隔で、前記測定音を出力させる信号であり、
前記収音信号は、前記聴取位置で収音された前記測定音を含む信号である
収音装置として機能させるためのプログラム。
【符号の説明】
【０２２５】
１  マルチチャンネルオーディオシステム，  ２  ワイヤレススピーカシステム，  １０  携帯端末装置，  ２０  スピーカ，  ２０−Ｃ  センタスピーカ，  ２０−Ｌ  フロントＬスピーカ，  ２０−Ｒ  フロントＲスピーカ，  ２０−ＳＬ  サラウンドＬスピーカ，  ２０−ＳＲ  サラウンドＲスピーカ，  ２１  ワイヤレススピーカ，  ２１−Ｃ  センタワイヤレススピーカ，  ２１−Ｌ  フロントＬワイヤレススピーカ，  ２１−Ｒ  フロントＲワイヤレススピーカ，  ２１−ＳＬ  サラウンドＬワイヤレススピーカ，  ２１−ＳＲ  サラウンドＲワイヤレススピーカ，  ３０  オーディオ信号再生装置，  ４０  外部信号源，  １００  処理部，  １０１  メモリ，  １０３  マイクロフォン，  １０６  送信部，  １１１  距離差算出部，  １１２  遅延量算出部，  ２００  コントローラ，  ２０１  受信部，  ２０２  送信部，  ２０３  復号部，  ２０４  再生バッファ，  ２０５  信号増幅器，  ２０６  スピーカユニット，  ３００  コントローラ，  ３０１  メモリ，  ３０２  受信部，  ３０３  復号部，  ３０４−１乃至３０４−５  信号増幅器，  ３０５−１乃至３０５−５  遅延メモリ，  １０００  コンピュータ，  １００１  CPU
【図１】
2018123612.tif 000003
【図２】
2018123612.tif 000004
【図３】
2018123612.tif 000005
【図４】
2018123612.tif 000006
【図５】
2018123612.tif 000007
【図６】
2018123612.tif 000008
【図７】
2018123612.tif 000009
【図８】
2018123612.tif 000010
【図９】
2018123612.tif 000011
【図１０】
2018123612.tif 000012
【図１１】
2018123612.tif 000013
【図１２】
2018123612.tif 000014
【図１３】
2018123612.tif 000015
【図１４】
2018123612.tif 000016
【国際調査報告】
2018123612.tif 000017
2018123612.tif 000018
2018123612.tif 000019
2018123612.tif 000020
2018123612.tif 000021
2018123612.tif 000022